(57)【要約】  撮像レンズ３１を保持するレンズホルダ３５に、挿入方向が光軸方向でフロントケース２５の挿入孔２５５に挿入される挿入部３５５と、挿入を規制する規制部３５１を形成する。規制部３５１のケース対向面と、フロントケース２５における規制部対向面に嵌合部２５２，３５２を設ける。嵌合部３５２は挿入部３５５を囲むように凸部３５２１を形成し、嵌合部２５２は挿入孔２５５を囲むように凸部２５２１を形成する。嵌合部３５２の凸部の間隔は嵌合部２５２の凸部よりも幅広で、嵌合部２５２の凸部の間隔は嵌合部３５２の凸部よりも幅広に形成して、嵌合部２５２と嵌合部３５２を嵌合させた状態でフロントケースに対するレンズホルダの位置を調整可能とする。撮像レンズが所望の位置となる嵌合状態で接着剤等で嵌合部分を固着する。撮像レンズを精度よく所望の位置に気密性を有して取り付けることができるようになる。
2014020987.tif 000002
【特許請求の範囲】
【請求項１】
撮像レンズを保持するレンズホルダと、
前記レンズホルダが挿入される挿入孔が形成されたケースとを有し、
前記レンズホルダには、挿入方向が前記撮像レンズの光軸方向とされて前記ケースの挿入孔に挿入される挿入部と、挿入を規制する規制部を形成し、
前記レンズホルダの規制部におけるケース対向面と、前記ケースにおける規制部対向面に嵌合部を設け、
前記嵌合部は、前記ケース対向面の嵌合部と前記規制部対向面の嵌合部を嵌合させた状態で前記ケースに対する前記レンズホルダの位置を調整可能に形成したレンズ取付機構。
【請求項２】
前記ケース対向面の嵌合部は前記挿入部を囲むように一段以上の凸部を形成し、前記規制部対向面の嵌合部は前記挿入孔を囲むように一段以上の凸部を形成して、一方の凸部を他方の凸部間に挿入することで嵌合部を嵌合させて、
前記ケース対向面の嵌合部の凸部の間隔は、前記規制部対向面の嵌合部の凸部よりも幅広に形成し、前記規制部対向面の嵌合部の凸部の間隔は、前記ケース対向面の嵌合部の凸部よりも幅広に形成した
請求項１記載のレンズ取付機構。
【請求項３】
前記凸部に径方向の導通溝を設けた
請求項２記載のレンズ取付機構。
【請求項４】
前記ケース対向面の嵌合部と前記規制部対向面の嵌合部は、前記レンズホルダが所望の位置となる嵌合状態で固着された
請求項１記載のレンズ取付機構。
【請求項５】
前記ケース対向面の嵌合部と前記規制部対向面の嵌合部は、接着部材が充填された状態で固着された
請求項４記載のレンズ取付機構。
【請求項６】
撮像レンズを保持するレンズホルダが挿入される挿入孔が形成されたケースに、挿入方向が前記撮像レンズの光軸方向とされて前記ケースの挿入孔に挿入される挿入部と挿入を規制する規制部を形成したレンズホルダを挿入する工程と、
挿入された前記レンズホルダの規制部におけるケース対向面に設けられている嵌合部を、前記ケースにおける規制部対向面に設けられている嵌合部を嵌合させる工程と、
前記撮像レンズによる光学像に応じて撮像素子で生成される撮像画像に基づき前記レンズホルダの位置を調整する工程と、
前記嵌合部を、前記調整後のレンズホルダの位置で接着部材が充填された状態で固着する工程と
を含むレンズ取付方法。
【請求項７】
撮像レンズを保持するレンズホルダと、
前記レンズホルダが挿入される挿入孔が形成されたフロントケースと、
前記フロントケースと組み合わされるリアケースと、
前記フロントケースと前記リアケースが組み合わされたケース内に設けられて、前記撮像レンズによる光学像に基づいて撮像画像の画像信号を生成する撮像素子とを有し、
前記レンズホルダには、挿入方向が前記撮像レンズの光軸方向とされて前記フロントケースの挿入孔に挿入される挿入部と、挿入を規制する規制部を形成し、
前記レンズホルダの規制部におけるフロントケース対向面と、前記フロントケースにおける規制部対向面に嵌合部を設け、
前記嵌合部は、前記ケース対向面の嵌合部と前記規制部対向面の嵌合部を嵌合させた状態で前記ケースに対する前記レンズホルダの位置を調整可能に形成して、前記撮像レンズが所望の位置となる嵌合状態で、接着部材が充填された状態で固着された撮像装置。
【発明の詳細な説明】
【技術分野】
【０００１】
この技術は、レンズ取付機構とレンズ取付方法および撮像装置に関する。詳しくは、撮像レンズを精度よく所望の位置に取り付けることができるようにする。
【背景技術】
【０００２】
従来、撮像レンズと、ＣＣＤ（Charge Coupled Device）やＣＭＯＳ（Complementary Metal Oxide Semiconductor）等の撮像素子とを有する撮像装置が、車載カメラ等に広く適用されている。【０００３】
撮像装置では、撮像レンズの結像位置に撮像素子が位置決めされてケースに収納されている。また、撮像装置では、気密性を持たせることで、ケース内の撮像素子や電気回路等を水分や塵埃等から保護することが行われている。撮像装置は、取り付け対象物の車体基準面に対して固定され、利用される。【０００４】
撮像装置に気密性を持たせる場合、例えば対物側前面の開口部分が平面ガラスにより封止されている防水ケースに撮像装置を収納することが行われる。しかし、防水ケース内に収納した撮像装置の画角が広いと、入射する光線の角度が平面ガラスにより制約されてしまう。また、広い入射角を確保するためには広い平面ガラスを使用しなければならず小型化が困難となる。このため、例えば特許文献１では、広角レンズ群の１枚目のレンズにより開口を封止した防水ケースを用いて、防水ケースの内部に広角レンズ群の２枚目以降のレンズが固定された鏡筒部を設けることで、広い画角の確保や小型化が行われている。
【先行技術文献】
【特許文献】
【０００５】
【特許文献１】特開２００２−９０６０３号公報
【発明の概要】
【発明が解決しようとする課題】
【０００６】
ところで、防水ケースの開口をレンズにより封止する場合、例えば特許文献１ではＯリングが用いられている。図１は、Ｏリングを用いて気密性を確保する場合の構成を例示している。【０００７】
撮像装置１０の外装は、フロントケース２１にリアケース２２が組み合わされた構成とされており、リアケース２２が車両等に固定される。フロントケース２１の前面部２１１には、撮像レンズが固定されているレンズホルダ３２を挿入するための挿入孔２１２が形成されている。また、挿入孔２１２のケース内面側には、環状凹部２１３が形成されている。【０００８】
レンズホルダ３２は、挿入部３２１の外周側にＯリング４１が取り付けられて、フロントケース２１の挿入孔２１２に挿入される。また、レンズホルダ３２の挿入部３２１が挿入孔２１２に挿入されたことにより、外周側に取り付けられているＯリング４１が、挿入孔２１２の環状凹部２１３に嵌装された状態となる。したがって、レンズホルダ３２の挿入部３２１をフロントケース２１の挿入孔２１２に挿入することで、レンズホルダ３２はフロントケース２１に対して所定の位置となる。また、環状凹部２１３と挿入部３２１との間にＯリング４１が介在されていることから、フロントケース２１とレンズホルダ３２との間での気密性を確保できる。【０００９】
撮像素子５１は、基板５２に取り付けられ、レンズ取り付け支え３２２と基板５２を介して撮像レンズの光軸に対して合わせて結像面に対して精度よく取り付け固定されることで、結像性能を維持することができる。また、撮像素子５１で生成された画像信号の信号処理を行う処理回路が基板５３に設けられており、基板５２と基板５３は、コネクタ５４を介して電気的に接続されている。また、コネクタ５４を介して基板５２と基板５３が接続されることで、基板５３に対して基板５２が位置決めされる。【００１０】
リアケース２２の筐体内面側には、基板取付部５５が設けられている。基板取付部５５には、基板５３が取り付けられる。また、基板取付部５５に基板５３が取り付けられて、リアケース２２に対する撮像素子５１の位置が決定される。なお、基板５３には、外部機器を接続するための配線部材５６例えばＦＰＣ（Flexible Printed Circuits）が接続されている。【００１１】
このように、Ｏリング４１をフロントケース２１とレンズホルダ３２との間に介在させて気密性を確保すると、レンズホルダ３２は、フロントケース２１に対して所定の位置で固定された状態となる。この際、適度な防水能力を確保するにはOリングを所望の圧縮率でOリングを圧縮して押し込む必要があるため、結果的にレンズホルダ３２は環状凹部２１３に対して強くセンタリングされる。一方、撮像素子５１は、基板５２と基板５３がコネクタ５４を介して接続されて、また基板５３が基板取付部５５に取り付けられることで、リアケース２２に対して所定の位置で固定された状態となる。したがって、撮像素子５１、基板５２、基板５３および基板取付部５５の部品精度や取り付け精度を高くしないと、取り付けを一巡した構造で位置ずれが生じ、レンズ取り付け支え３２２に保持されている撮像レンズの光軸と撮像素子５１など不要な位置のバラツキを生じてしまう。【００１２】
そこで、この技術では、撮像レンズを精度よく所望の位置に気密性を有して取り付け、一巡する取り付け部品の累計公差による位置ずれを吸収することができるようにする。
【課題を解決するための手段】
【００１３】
この技術の第１の側面は、
撮像レンズを保持するレンズホルダと、
前記レンズホルダが挿入される挿入孔が形成されたケースとを有し、
前記レンズホルダには、挿入方向が前記撮像レンズの光軸方向とされて前記ケースの挿入孔に挿入される挿入部と、挿入を規制する規制部を形成し、
前記レンズホルダの規制部におけるケース対向面と、前記ケースにおける規制部対向面に嵌合部を設け、
前記嵌合部は、前記ケース対向面の嵌合部と前記規制部対向面の嵌合部を嵌合させた状態で前記ケースに対する前記レンズホルダの位置を調整可能に形成したレンズ取付機構にある。【００１４】
この技術においては、撮像レンズを保持するレンズホルダには、挿入方向が撮像レンズの光軸方向とされてケースの挿入孔に挿入される挿入部と、挿入を規制する規制部が形成される。レンズホルダの規制部におけるケース対向面と、ケースにおける規制部対向面には嵌合部が設けられる。例えばケース対向面の嵌合部は挿入部を囲むように凸部が形成されて、規制部対向面の嵌合部は挿入孔を囲むように凸部が形成される。また、ケース対向面の嵌合部の凸部の間隔は、規制部対向面の嵌合部の凸部よりも幅広に形成されて、規制部対向面の嵌合部の凸部の間隔は、ケース対向面の嵌合部の凸部よりも幅広に形成される。このように嵌合部が形成されて、ケース対向面の嵌合部と規制部対向面の嵌合部を嵌合させた状態でケースに対するレンズホルダの位置が調整可能とされて、レンズホルダが所望の位置となる嵌合状態で嵌合部分が充填剤を兼ねた接着部材によって固着される。また、凸部には径方向の導通溝が設けられて、凸部間に閉じこめられる空気等が嵌合時に導通溝を介して嵌合部分の外に排出されて、嵌合部分が接着部材で満たされる。【００１５】
この技術の第２の側面は、
撮像レンズを保持するレンズホルダが挿入される挿入孔が形成されたケースに、挿入方向が前記撮像レンズの光軸方向とされて前記ケースの挿入孔に挿入される挿入部と挿入を規制する規制部を形成したレンズホルダを挿入する工程と、
挿入された前記レンズホルダの規制部におけるケース対向面に設けられている嵌合部を、前記ケースにおける規制部対向面に設けられている嵌合部を嵌合させる工程と、
前記撮像レンズによる光学像に基づいて撮像素子で生成される撮像画像の画像信号に基づき前記レンズホルダの位置を調整する工程と、
前記嵌合部を、前記調整後のレンズホルダの位置の嵌合状態で固着する工程と
を含むレンズ取付方法にある。【００１６】
この技術の第３の側面は、
撮像レンズを保持するレンズホルダと、
前記レンズホルダが挿入される挿入孔が形成されたフロントケースと、
前記フロントケースと組み合わされるリアケースと、
前記フロントケースと前記リアケースが組み合わされたケース内に設けられて、前記撮像レンズによる光学像に基づいて撮像画像の画像信号を生成する撮像素子とを有し、
前記レンズホルダには、挿入方向が前記撮像レンズの光軸方向とされて前記フロントケースの挿入孔に挿入される挿入部と、挿入を規制する規制部を形成し、
前記レンズホルダの規制部におけるフロントケース対向面と、前記フロントケースにおける規制部対向面に嵌合部を設け、
前記嵌合部は、前記ケース対向面の嵌合部と前記規制部対向面の嵌合部を嵌合させた状態で前記ケースに対する前記レンズホルダの位置を調整可能に形成して、前記撮像レンズが所望の位置となる嵌合状態で、接着部材が充填された状態で固着された撮像装置にある。
【発明の効果】
【００１７】
この技術によれば、撮像レンズを保持するレンズホルダには、挿入方向が撮像レンズの光軸方向とされてケースの挿入孔に挿入される挿入部と、挿入を規制する規制部が形成される。また、レンズホルダが取り付けられるケースには、レンズホルダが挿入される挿入孔が形成される。レンズホルダの規制部におけるケース対向面と、ケースにおける規制部対向面には嵌合部が設けられて、嵌合部は、ケース対向面の嵌合部と規制部対向面の嵌合部を嵌合させた状態でケースに対するレンズホルダの位置が調整可能に形成されている。このため、レンズホルダとケースの嵌合部を嵌合させて、ケースにレンズホルダを固定する場合に、撮像レンズを精度よく所望の位置に気密性を有して取り付けることが可能となる。なお、本明細書に記載された効果はあくまで例示であって限定されるものではなく、また付加的な効果があってもよい。
【図面の簡単な説明】
【００１８】
【図１】Ｏリングを用いて気密性を確保する場合の構成を例示した図である。
【図２】本技術の撮像装置の一実施形態の構成を例示した図である。
【図３】フロントケースとレンズホルダの第１の形態を示す図である。
【図４】挿入孔とレンズホルダの中心軸が一致した状態を示した図である。
【図５】挿入孔に対してレンズホルダの位置が左方向に移動した状態を示した図である。
【図６】挿入孔に対してレンズホルダの中心軸が傾きを生じた状態を示した図である。
【図７】レンズホルダを調整後の位置でフロントケースに固定した状態を示した図である。
【図８】フロントケースとレンズホルダの第２の形態を示す図である。
【図９】導通溝を形成した場合の組み立て状態を説明するための図である。
【発明を実施するための形態】
【００１９】
以下、本技術を実施するための形態について説明する。なお、説明は以下の順序で行う。
１．撮像装置の構成
２．フロントケースとレンズホルダの第１の形態
３．フロントケースとレンズホルダの第２の形態
【００２０】
＜１．撮像装置の構成＞
図２は、本技術のレンズ取付機構を用いた撮像装置の一実施形態の構成を例示している。撮像装置１１の外装は、フロントケース２５にリアケース２６が組み合わされた構成とされており、リアケース２６が車両等に固定される。また、フロントケース２５にリアケース２６が組み合わされることで、撮像装置１１の外装は、気密性を有する構成とされている。
【００２１】
フロントケース２５の例えば前面部２５１には、撮像レンズを保持するレンズホルダ３５が挿入される挿入孔２５５が形成されている。また、前面部２５１のケース内面側すなわち、後述する規制部と対向する規制部対向面には、嵌合部２５２が形成されている。
【００２２】
レンズホルダ３５は、フロントケース２５への挿入を規制する規制部３５１と、挿入方向が撮像レンズの光軸方向とされてフロントケース２５の挿入孔２５５に挿入される挿入部３５５が形成されている。規制部３５１において、フロントケース２５と対向するフロントケース対向面には、嵌合部３５２が形成されている。
【００２３】
嵌合部２５２と嵌合部３５２は、フロントケース２５の挿入孔２５５にレンズホルダ３５の挿入部３５５が挿入されたとき、嵌合可能に構成されている。また、嵌合部２５２と嵌合部３５２は、嵌合した状態でフロントケース２５に対するレンズホルダ３５の位置が、すなわちレンズホルダ３５に保持されている撮像レンズの光軸の位置は撮像素子に対して、後述するように光軸を一意に調整固定されるために、累計組み上げ公差分のズレが生じている。この嵌合部における任意の位置ずれを吸収しつつ、気密封止を可能な構造とする。
【００２４】
レンズホルダ３５は、挿入孔２５５がレンズホルダ３５の挿入部３５５に挿入されて嵌合部２５２と嵌合部３５２が嵌合している状態で、撮像レンズの光軸が後述する撮像素子５１の所定の位置となるように位置調整が行われる。その後、嵌合部２５２と嵌合部３５２が充填剤を兼ねた接着部材を用いて固着されて、レンズホルダ３５の取り付け部分の気密性が確保される。
【００２５】
撮像素子５１は、基板５２に取り付けられ、レンズ取り付け支え３５６と基板５２を介して撮像レンズの光軸に対して合わせて結像面に対して精度よく取り付け固定されることで、結像性能を維持することができる。撮像素子５１で生成された画像信号の信号処理を行う処理回路が基板５３に設けられており、基板５２と基板５３は、コネクタ５４を介して電気的に接続されている。また、コネクタ５４を介して基板５２と基板５３が接続されることで、基板５３に対して基板５２が位置決めされる。
【００２６】
リアケース２２のケース内側面には、基板取付部５５が設けられている。基板取付部５５には、基板５３が取り付けられる。また、基板取付部５５に基板５３が取り付けられて、リアケース２２に対する撮像素子５１の位置が決定される。なお、基板５３には、外部機器を接続するための配線部材５６例えばＦＰＣ（Flexible Printed Circuits）が接続されている。
【００２７】
＜２．フロントケースとレンズホルダの第１の形態＞
次に、フロントケースとレンズホルダの第１の形態について図３を用いて説明する。なお、説明を簡単とするため、図３の（Ａ）は、フロントケース２５における嵌合部２５２と挿入孔２５５を示している。また、図３の（Ｂ）は、レンズホルダ３５を示している。なお、図３の（Ａ），（Ｂ）では嵌合部等の形状が明らかとなるように、フロントケース２５とレンズホルダ３５について周方向の一部を切り取って断面を示している（第１の形態における後述する斜視図も同様）。また、レンズホルダ３５には、撮像レンズ３１が挿入部３５５の中心軸と光軸が略一致するように取り付けられている。なお、以降の図では撮像レンズ３１を省略している。
【００２８】
嵌合部２５２と嵌合部３５２は、フロントケース２５の挿入孔２５５にレンズホルダ３５の挿入部３５５が挿入されたとき、嵌合するように構成されている。
【００２９】
規制部対向面２５１ａの嵌合部２５２は、挿入孔２５５を囲むように、例えば挿入孔２５５を中心としてリング状に凸部２５２１が形成されている。また、フロントケース対向面３５１ａの嵌合部３５２は、挿入部３５５を囲むように、例えば挿入部３５５を中心としてリング状に凸部３５２１が形成されている。すなわち、嵌合部２５２，３５２は、挿入孔２５５や挿入部３５５の中心から径方向に凸凹状に形成されている。さらに、一方の凸部を他方の凸部間に挿入することで嵌合部２５２と嵌合部３５２が嵌合される。例えば、挿入孔２５５の中心からリング状の凸部２５２１までの距離と、挿入部３５５の中心からリング状の凸部３５２１までの距離を異なる長さとして、嵌合部２５２の凸部２５２１が嵌合部３５２の凸部３５２１間に挿入されるように構成する。なお、図３では、凸部２５２１，３５２１を複数段形成した場合を示しているが、凸部は一段以上設けるようにする。
【００３０】
さらに、嵌合部２５２の凸部２５２１の間隔Ｗａは、嵌合部３５２の凸部３５２１よりも幅広に形成し、嵌合部３５２の凸部３５２１の間隔Ｗｂは、規制部対向面２５１ａの嵌合部２５２の凸部２５２１よりも幅広に形成する。このように嵌合部２５２，３５２を形成すると、嵌合部２５２と嵌合部３５２を嵌合させた状態で、フロントケース２５に対してレンズホルダ３５の位置を調整することが可能となる。
【００３１】
また、図３に示すように嵌合部２５２，３５２を形成すると、挿入孔２５５に挿入部３５５が挿入された状態において、挿入孔２５５と挿入部３５５の境界部分の奥側端部は、嵌合部３５２の凸部３５２１と挿入部３５５で囲まれた領域の底面３５５１となる。また、境界部分の奥側端部からケース内部までの距離は、嵌合部２５２，３５２が凸凹状に形成されていることから、嵌合部２５２，３５２を形成していない場合に比べて長くなる。したがって、挿入孔２５５と挿入部３５５の境界部分からの水等の進入を底面３５５１やケース内部までの長い接着部分によって有効に阻止できる。
【００３２】
図４は、フロントケースの挿入孔とレンズホルダの挿入部の中心軸が一致した状態を示している。図４の（Ａ）は斜視図、図４の（Ｂ）は断面図、一点鎖線はフロントケース２５の挿入孔２５５とレンズホルダ３５の挿入部３５５の中心軸を示している。フロントケース２５の挿入孔２５５とレンズホルダ３５の挿入部３５５の中心軸を一致させて挿入部３５５が挿入孔２５５に挿入されている状態では、挿入孔２５５と挿入部３５５との間には空隙が生じている。また、凸部２５２１，３５２１の両側にも空隙が生じている。したがって、レンズホルダ３５は、フロントケース２５の挿入孔２５５に挿入部３５５を挿入した状態で、フロントケース２５に対する位置を調整することが可能となる。
【００３３】
図５は、フロントケースの挿入孔に対してレンズホルダの挿入部の位置が左方向に移動した状態を示している。なお、図５の（Ａ）は斜視図、図５の（Ｂ）は断面図、一点鎖線はフロントケース２５の挿入孔２５５の中心軸、二点鎖線はレンズホルダ３５の挿入部３５５の中心軸を示している。レンズホルダ３５の挿入部３５５の位置が左方向に移動した状態となると、挿入部３５５の左側面が挿入孔２５５と接した状態となる。凸部２５２１の右側面と凸部３５２１左側面が接した状態となる。
【００３４】
図６は、フロントケースの挿入孔に対してレンズホルダの挿入部が傾きを生じた状態を示している。なお、図６の（Ａ）は斜視図、図６の（Ｂ）は断面図、一点鎖線はフロントケース２５の挿入孔２５５の中心軸、二点鎖線はレンズホルダ３５の挿入部３５５の中心軸を示している。レンズホルダ３５の中心軸が例えば左方向に傾きを生じた場合、右端の凸部２５２１は、例えば規制部３５１に接した状態となる。また、凸部２５２１，３５２１は、左側の凸部ほど、凸部と対向する面との間隔が広くなるが、嵌合状態が保持される。
【００３５】
このように、撮像装置１１は、フロントケース２５の嵌合部２５２とレンズホルダ３５の嵌合部３５２を嵌合させた状態で、フロントケース２５に対するレンズホルダ３５の位置を調整することができる。したがって、累計組み立て公差分のズレを吸収して撮像レンズの光軸の位置が所望の位置となるように、フロントケース２５に対するレンズホルダ３５の位置（傾きを含む）を調整する。
【００３６】
その後、充填剤を兼ねた接着部材を用いて嵌合部を嵌合した状態で固着して、図７に示すように、レンズホルダ３５を調整後の位置でフロントケース２５に固定する。充填剤を兼ねた接着部材としては、時間が経過するについて硬化する自然硬化形の流体状の接着剤を用いてもよく、熱を加えることによりまたは紫外線を照射することにより硬化する流体状の接着剤を用いることで、硬化に要する時間の短縮化を行うようにしてもよい。
【００３７】
レンズホルダ３５の位置調整は、レンズホルダ３５によって保持されている撮像レンズによる光学像に応じて撮像素子５１で生成される撮像画像に基づいて行う。すなわち、撮像レンズの光軸が所望の位置となるように、撮像画像に基づきレンズホルダ３５の位置を調整する。その後、調整されたレンズホルダの位置で嵌合部分を接着剤等で固着する。
【００３８】
このように撮像レンズの取り付けを行えば、撮像装置１１では、撮像素子５１、基板５２、基板５３および基板取付部５５の部品精度や取り付け精度を高くしなくとも、撮像レンズを所望の位置に調整することが可能となる。したがって、安価で容易に組み立て精度を向上できる。また、フロントケース２５とレンズホルダ３５の嵌合部が接着剤等で満たされた状態で固着されるので、レンズホルダ３５の取り付け部分の気密性を確保できる。さらに、凸部を設けてフロントケース２５とレンズホルダ３５が嵌合されていることから、嵌合部を設けていない場合すなわちフロントケース２５の規制部対向面とレンズホルダ３５のフロントケース対向面を接着部材で固着する場合に比べて、フロントケース２５とレンズホルダ３５との境界部分からの水分等の進入を有効に阻止できる。
【００３９】
＜３．フロントケースとレンズホルダの第２の形態＞
ところで、フロントケース２５の嵌合部２５２とレンズホルダ３５の嵌合部３５２を嵌合させて充填剤を兼ねた接着部材で固定する場合、フロントケース２５の挿入孔２５５やレンズホルダ３５の挿入部３５５を囲むように凸部を形成すると、凸部間に閉じこめられた気体は外部へ逃げにくくなる。このため、接着部分に空間が生じて接着部分の気密性の低下等を生じるおそれがある。そこで、第２の形態では、接着部分の気密性の低下等を防ぐことができる構成について説明する。
【００４０】
図８は、レンズホルダの第２の形態を示している。第２の形態において、レンズホルダ３５の嵌合部３５２は、挿入部３５５を囲むように、例えば挿入部３５５を中心としてリング状に凸部３５２１が形成されている。すなわち、嵌合部３５２は、挿入部３５５の中心から径方向に凸凹状に形成されている。挿入部３５５の中心からリング状の凸部３５２１までの距離は、フロントケース２５の嵌合部２５２に形成されているリング状の凸部２５２１における挿入孔２５５の中心からの距離と異なるように設定する。このように設定することで、一方の凸部を他方の凸部間に挿入して嵌合部２５２，３５２が嵌合するように構成されている。
【００４１】
リング状の凸部３５２１には、径方向に導通溝３５２３が形成されている。導通溝３５２３は、リング状の凸部３５２１毎に１または複数形成されている。
【００４２】
また、図８では、嵌合部３５２の凸部３５２１に導通溝３５２３を形成する場合について説明したが、フロントケース２５における嵌合部２５２の凸部２５２１に導通溝を径方向に形成してもよい。また、嵌合部２５２の凸部２５２１と嵌合部３５２の凸部３５２１に導通溝を形成すれば、後述するように接着部分の気密性の低下等を効果的に防ぐことができる。
【００４３】
図９は、導通溝を形成した場合の組み立て状態を説明するための図である。凸部２５２１，３５２１はリング状に複数形成されているため、凸部２５２１と凸部３５２１を嵌合させた場合に、凸部間に残った空気は外部に排出されにくい。このため、例えば図９の（Ａ）に示すように、接着剤の硬化後、嵌合部分に空気層が残ってしまい気密性が低下するおそれがある。しかし、導通溝を形成すると、凸部２５２１と凸部３５２１を嵌合させた場合に、凸部間の空気を導通溝を介して排出することができる。このため、図９の（Ｂ）に示すように、嵌合部分に空気層が残ってしまうことを防止して気密性をより確実に確保できるようになる。また、空気だけでなく接着剤の余剰分も導通溝を介して移動することから、接着剤の不足する部分への接着剤の移動も行われて、嵌合部分における接着剤の充填がより確実となり、嵌合部分の気密性をより確実に確保できるようになる。さらに、フロントケース２５における嵌合部２５２の凸部２５２１に導通溝を径方向に形成すれば、嵌合部分の空気をより確実に嵌合部分から排出できるだけでなく、充填剤を兼ねた接着部材の移動もより有効に行われることから、接着部分の気密性の低下等を効果的に防ぐことができる。なお、図９の（Ｂ）では、第２の形態の動作を明確とするため、導通溝を径方向に並んで形成した場合を例示している。
【００４４】
以上のようにレンズ取付機構を構成することで、撮像レンズを精度よく撮像素子と位置調整をしつつ、組み立ての積み上げ公差で理想設計位置から位置ずれをしている事があるフロントケースへ位置ずれを吸収して気密性を有した取り付けを実現できる。また、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、請求の範囲を参酌すべきである。
【００４５】
なお、本技術のレンズ取付機構は以下のような構成も取ることができる。
（１）  撮像レンズを保持するレンズホルダと、
前記レンズホルダが挿入される挿入孔が形成されたケースとを有し、
前記レンズホルダには、挿入方向が前記撮像レンズの光軸方向とされて前記ケースの挿入孔に挿入される挿入部と、挿入を規制する規制部を形成し、
前記レンズホルダの規制部におけるケース対向面と、前記ケースにおける規制部対向面に嵌合部を設け、
前記嵌合部は、前記ケース対向面の嵌合部と前記規制部対向面の嵌合部を嵌合させた状態で前記ケースに対する前記レンズホルダの位置を調整可能に形成したレンズ取付機構。
（２）  前記ケース対向面の嵌合部は前記挿入部を囲むように一段以上の凸部を形成し、前記規制部対向面の嵌合部は前記挿入孔を囲むように一段以上の凸部を形成して、一方の凸部を他方の凸部間に挿入することで嵌合部を嵌合させて、
前記ケース対向面の嵌合部の凸部の間隔は、前記規制部対向面の嵌合部の凸部よりも幅広に形成し、前記規制部対向面の嵌合部の凸部の間隔は、前記ケース対向面の嵌合部の凸部よりも幅広に形成した（１）に記載のレンズ取付機構。
（３）  前記凸部に径方向の導通溝を設けた（２）に記載のレンズ取付機構。
（４）  前記ケース対向面の嵌合部と前記規制部対向面の嵌合部は、前記レンズホルダが所望の位置となる嵌合状態で固着された（１）乃至（３）の何れかに記載のレンズ取付機構。
（５）  前記ケース対向面の嵌合部と前記規制部対向面の嵌合部は、接着部材が充填された状態で固着された（４）に記載のレンズ取付機構。
【産業上の利用可能性】
【００４６】
この技術のレンズ取付機構とレンズ取付方法および撮像装置では、撮像レンズを保持するレンズホルダには、挿入方向が撮像レンズの光軸方向とされてケースの挿入孔に挿入される挿入部と、挿入を規制する規制部が形成される。また、レンズホルダが取り付けられるケースには、レンズホルダが挿入される挿入孔が形成される。レンズホルダの規制部におけるケース対向面とケースにおける規制部対向面には嵌合部が設けられて、嵌合部は、ケース対向面の嵌合部と規制部対向面の嵌合部を嵌合させた状態でケースに対するレンズホルダの位置が調整可能に形成されている。このため、レンズホルダとケースの嵌合部を嵌合させて、ケースにレンズホルダを固定する場合に、撮像レンズを精度よく所望の位置に気密性を有して取り付けることが可能となる。したがって、撮像機能と気密性が必要とされる電子機器例えば車載用の撮像装置等に適している。
【符号の説明】
【００４７】
１０，１１・・・撮像装置
２１，２５・・・フロントケース
２２，２６・・・リアケース
３１・・・撮像レンズ
３２，３５・・・レンズホルダ
４１・・・Ｏリング
５１・・・撮像素子
５２，５３・・・基板
５４・・・コネクタ
５５・・・基板取付部
５６・・・配線部材
２１１，２５１・・・前面部
２１２，２５５・・・挿入孔
２１３・・・環状凹部
２５１ａ・・・規制部対向面
２５２，３５２・・・嵌合部
３５１・・・規制部
３５１ａ・・・フロントケース対向面
３２１，３５５・・・挿入部
３２２，３５６・・・レンズ取り付け支え
２５２１，３５２１・・・凸部
３５２３・・・導通溝
３５５１・・・底面
【図１】
2014020987.tif 000003
【図２】
2014020987.tif 000004
【図３】
2014020987.tif 000005
【図４】
2014020987.tif 000006
【図５】
2014020987.tif 000007
【図６】
2014020987.tif 000008
【図７】
2014020987.tif 000009
【図８】
2014020987.tif 000010
【図９】
2014020987.tif 000011
【国際調査報告】
2014020987.tif 000012
2014020987.tif 000013
2014020987.tif 000014